(57)【要約】【課題】カードの取り扱いに対する操作性を改善する。【解決手段】脱着方向に沿って列をなした複数の電極部を有するカードを脱着するカード脱着装置において、前記カードの前記電極部のそれぞれと電気的に導通する複数の端子１５と、前記カードと当接し、前記カードの移動に伴って移動するホルダー３５と、このホルダー３５の位置をロックするストッパー３８と、このストッパー３８のロックが解除されることによって、前記ホルダー３５を挿入口に向かって押しやる蹴り出し用ばね１６とを備えたことを特徴とするカード脱着装置であって、カードに直接触れることなく、カードの脱着を行うことができるので、カードの取り扱いに対する操作性を改善することができる。【選択図】図２
2006156409.tif 000002
【特許請求の範囲】
【請求項１】
脱着方向に沿って列をなした複数の電極部を有するカードを脱着するカード脱着装置において、
前記カードの前記電極部のそれぞれと電気的に導通する複数のコンタクトと、
前記カードと当接し、前記カードの移動に伴って移動する当接部材と、
この当接部材の位置をロックするロック手段と、
このロック手段のロックが解除されることによって、前記当接部材を挿入口に向かって押しやる付勢手段と
を備えたことを特徴とするカード脱着装置。
【発明の詳細な説明】
【技術分野】
【０００１】
この発明は、携帯電話機等に用いられる接触装置、特に加入者識別モジュール（ＳＩＭ）カードを着脱自在に保持するカード脱着装置に関するものである。
【背景技術】
【０００２】
第１図は従来のカード脱着装置の外観を示す斜視図である。図において１はＳＩＭカード（以下、単にカードという）Ｃの挿入方向に延在する一対のガイド部材２からなるカード装着装置のボディであり、３は一対のガイド部材２を跨いで形成されたカード収容部であり、４は一対のガイド部材２の一端部間により形成されたカード挿抜口であり、このカード挿抜口４は上記カード収容部３と面一に形成されている。カード収容部３の下部には一対のガイド部材２間にカードＣとコンタクトをとるための複数の端子５が設けられている。６は端子５と例えば携帯電話機等の外部装置（図示せず）とを接続するための外部端子である。ボディ１のカード収容部３上には断面逆Ｌ字状の蓋７がボディ１の長さ方向（矢印Ａ１方向、Ａ２方向）に往復摺動自在に配設されている。８は蓋７をボディ１の長さ方向に移動させるための操作レバーである。
【０００３】
次に動作について説明する。まず、カードＣを装着する場合には、操作レバー８を矢印Ａ２方向に操作することで蓋７をカード挿抜口４側に近づけておき、カードＣを矢印Ａ１方向に沿ってカード挿抜口４からカード収容部３に向けて挿入する。このとき、カードＣは蓋７の下側に設けられた係合手段（図示せず）により係合され、蓋７により保持される。
【０００４】
次に、操作レバー８を矢印Ａ１方向に操作し、カードＣをカード収容部３の所定位置に保持する。この保持位置において、カードＣは端子５を介して外部装置と電気的に接続される。
【０００５】
逆に、カードＣを抜去する場合には、操作レバー８を矢印Ａ２方向に操作し、蓋７をカード挿抜口４側に戻すことで、カードＣと外部装置との電気的接続を解き、カードＣの一部をカード挿抜口４から露出させ、指でカードＣの一部を引き出すようにする。
【０００６】
ところで、一般に上述のカード脱着装置ではカードＣに端子５を介して通電を行っているが、この通電中にカードＣが脱着される、いわゆる「活線挿抜」が行われると、携帯電話機等の回路やカードＣが破損するおそれがある。このため、ボディ１には、第１図に示すように、カードＣが装着されているときのみ通電を行うために、カード収容部３の所定位置にカードＣが収容されているか否かを判別する検知手段９が設けられている。
【０００７】
しかしながら、このような構成の従来のカード脱着装置では、カードＣの脱着方向（矢印Ａ１方向及びＡ２方向）にカードＣを保持する構造を有していないため、例えば外部装置としての携帯電話機等と共に落下した場合にはカードＣがカード収容部３の所定位置から瞬間的に矢印Ａ２方向に移動した後、即座に当該所定位置に戻ることがある。この場合、カードＣが当該所定位置に戻っているにもかかわらず、上記検知手段９によりカードＣが所定位置に存在しないと誤認識してしまうおそれがあった。このような誤認識が生じると、カードＣへの給電が停止されるため、例えば携帯電話機等の外部装置の使用が一時的にできなくなるという不都合があった。
【０００８】
この不都合を解消する携帯電話機として、バッテリーパックの取付け位置にカード脱着装置を設けた構成が日本国特開平１０−３３６２９２号公報に開示されている。
【特許文献１】特開平１０−３３６２９２号公報
【発明の開示】
【発明が解決しようとする課題】
【０００９】
しかしながら、当該公報に記載の構成では、カードの脱着を行う度に、バッテリーを取り外す必要があり、使い勝手が悪いという課題があった。
【００１０】
この発明は上記のような課題を解決するためになされたもので、バッテリーを取り外すことなく、落下衝撃等の外力を受けてもカードを確実に保持しカードの収容の有無に関する誤認識を回避できるカード脱着装置を得ることを目的とする。
【課題を解決するための手段】
【００１１】
上記の目的を達成するためこの発明は、脱着方向に沿って列をなした複数の電極部を有するカードを脱着するカード脱着装置において、前記カードの前記電極部のそれぞれと電気的に導通する複数のコンタクトと、前記カードと当接し、前記カードの移動に伴って移動する当接部材と、この当接部材の位置をロックするロック手段と、このロック手段のロックが解除されることによって、前記当接部材を挿入口に向かって押しやる付勢手段とを備えたことを特徴としている。
【発明の効果】
【００１２】
このことによって、カードに直接触れることなく、カードの脱着を行うことができるので、カードの取り扱いに対する操作性を改善することができる。
【発明を実施するための最良の形態】
【００１３】
以下、この発明をより詳細に説明するために、この発明を実施するための最良の形態について、添付の図面に従ってこれを説明する。
【００１４】
実施の形態１．
第２図はこの発明の実施の形態１に係るカード脱着装置の外観を示す斜視図であり、第３図（ａ）から第３図（ｃ）は第２図に示したカード脱着装置のカード装着前の状態を示す図であって第３図（ａ）は第２図に示したカード脱着装置の底面図であり、第３図（ｂ）は第３図（ａ）のｂ−ｂ線断面図であり、第３図（ｃ）は第３図（ａ）の側面図であり、第４図（ａ）から第４図（ｃ）は第２図に示したカード脱着装置のカード装着状態を示す図であって第４図（ａ）は第２図に示したカード脱着装置の底面図であり、第４図（ｂ）は第４図（ａ）のｂ−ｂ線断面図であり、第４図（ｃ）は第４図（ａ）の側面図である。この実施の形態１の構成要素のうち第１図に示した従来のカード脱着装置の構成要素と共通するものについては同一符号を付し、その部分の説明を省略する。
【００１５】
図において１０は例えばＡＢＳ樹脂等の絶縁性を有する材料で形成された板状のボディであり、１１はボディ１０との間にカードＣを受容する空間Ｓを形成すると共にカード収容部１２を有する蓋であり、１３は蓋１１の端部に形成されかつ空間Ｓに連通するカード挿抜口であり、１４はカード挿抜口１３の一部を構成しかつカード収容部１２に収容されたカードＣの抜けを防止するストッパー部であり、１５はカード収容部１２に面したボディ１０の下面に形成されかつカード収容部１２に収容されたカードＣとコンタクトをとると共にカードＣをカード収容部１２側に押圧する端子であり、この端子１５は外部端子６に接続されている。１６はボディ１０の端縁下垂部の内側に取り付けられかつカードＣの収容時にはカードＣをストッパー部１４に向けて押圧すると共にカードＣの抜去時にはカードＣをカード挿抜口１３を介して外部に蹴り出す蹴り出し用ばね（第１の付勢手段）であり、１７はカードＣの抜去時にカードＣの飛び出し部分を指で操作するためにカード挿抜口１３の一部を構成する蓋１１に形成された凹部である。また、ボディ１０の端部にはカード収容部１２にカードＣが収容されているか否かを判別する検知手段９が設けられており、カード収容部１２内には検知手段９のプローブ９ａが設けられている。なお、矩形状のカードＣの一隅は切除されて特徴的形状である傾斜部Ｃａとなっている。
【００１６】
次に動作について説明する。まず、カードＣを挿入する場合には、カードＣをカード挿抜口１３から空間Ｓ内に挿入する。空間Ｓ内では、カードＣはボディ１０側の端子１５により蓋１１側に向けて押圧されるため、挿入操作を続けることによりカード収容部１２内に導かれるようにして収容される。このとき、カード収容部１２内では、カードＣは端子１５により引き続き蓋１１側に押圧されると共に蹴り出し用ばね１６によりカード挿抜口１３寄りのストッパー部１４に押圧され、このストッパー部１４によりカードＣが係止されることにより、カード収容部１２内に確実に保持される。
【００１７】
次に、カードＣを抜去する場合には、蓋１１の凹部１７に指を差し込み、カード収容部１２内に収容されているカードＣの露出端部をボディ１０側に軽く押し出す。これにより、カードＣの露出端部はストッパー部１４による係止が解除され、カードＣは蹴り出し用ばね１６によりカード挿抜口１３から外部に飛び出すことで抜去される。
【００１８】
以上のように、この実施の形態１によれば、カード収容部１２内にストッパー部１４及び蹴り出し用ばね１６を設けたことにより、カードＣをカード収容部１２内に確実に保持することができるので、落下衝撃等の外力を受けても、カードＣの飛び出しによる活線挿抜を確実に防止することができる。
【００１９】
この実施の形態１では、カードＣの保持に蹴り出し用ばね１６を利用したことにより、保持用の付勢手段を改めて設ける必要がなく、部品点数を削減することができる効果がある。また、この実施の形態１では、カードＣのカード収容部１２側への押圧にカードコンタクト用の端子１５を利用したことにより、押圧用の付勢手段を改めて設ける必要がなく、部品点数を削減することができる効果がある。
【００２０】
この実施の形態１では、カード収容部１２を蓋１１側に設けたが、ボディ１０側に設けてもよい。この場合、端子１５はカードＣをカード収容部１２側へ押圧する手段としても機能しているため、蓋１１側の対向面に設ける必要がある。
【００２１】
実施の形態２．
第５図はこの発明の実施の形態２に係るカード脱着装置の構成を示す断面図である。この実施の形態２の構成要素のうち実施の形態１の構成要素と共通するものについては同一符号を付し、その部分の説明を省略する。
【００２２】
この実施の形態２の特徴は、カード挿抜口１３を塞ぐキャップ１８を設けた点にある。カードＣは、蓋１１の凹部１７に異物が入り込んだときにカード挿抜口１３に押し出され、蹴り出し用ばね１６により不用意に飛び出す可能性がある。このため、キャップ１８でカード挿抜口１３を塞ぐことによりカードＣの飛び出しを防止している。
【００２３】
以上のように、この実施の形態２によれば、カード挿抜口１３を塞ぐキャップ１８を設けたことにより、カードＣをカード収容部１２内に確実に保持することができるので、落下衝撃等の外力を受けても、カードＣの飛び出しによる活線挿抜を確実に防止することができる。
【００２４】
実施の形態３．
第６図はこの発明の実施の形態３に係るカード脱着装置を搭載した携帯電話機の外観を示す斜視図である。この実施の形態３の構成要素のうち実施の形態１等の構成要素と共通するものについては同一符号を付し、その部分の説明を省略する。
【００２５】
この実施の形態３の特徴はカードＣに対するストッパー部１４による係止を解除する操作ボタン１９を携帯電話機２０の裏面２０ａ側に設けた点にある。携帯電話機２０の裏面２０ａには矩形状の穴２１が形成されており、その穴２１内には操作ボタン１９が出没自在に配設されている。この操作ボタン１９は押すことによりカードＣをボディ１０側に押し出すものである。なお、２２は携帯電話機２０の端部に伸縮自在に取り付けられたアンテナであり、２３は携帯電話機２０の裏面側に着脱自在に取り付けられるバッテリーパック（図示せず）を取外すためのスイッチである。
【００２６】
次に動作について説明する。操作ボタン１９を押すと、カードＣの一部はボディ１０側に押し出され、ストッパー部１４による係止が解除され、カードＣは蹴り出し用ばね１６によりカード挿抜口１３から外部に飛び出すことで抜去される。
【００２７】
以上のように、この実施の形態３によれば、操作ボタン１９を設けたことにより、カードＣに直接触れることなく、カードＣの脱着を行うことができるので、カードＣの取り扱いに対する操作性を改善することができる。
【００２８】
実施の形態４．
第７図はこの発明の実施の形態４に係るカード脱着装置のボディ内に形成されたカード収容部の構成を示す平面図である。この実施の形態４の構成要素のうち実施の形態１等の構成要素と共通するものについては同一符号を付し、その部分の説明を省略する。
【００２９】
この実施の形態４の特徴は蓋１１側に形成されたカード収容部１２の一部を構成するボディ１０の内壁に、カードＣの特徴的形状である傾斜部Ｃａに当接するリブ２４を設けた点にある。即ち、カードＣの他の三隅がカード収容部１２内でリブ２４に当接した場合には、カードＣをそれ以上挿入することができないため、カードＣの挿入方向が誤りであることを挿入者に理解させることができ、正しい挿入方向となるようにカードＣの挿入作業を促すことができる。
【００３０】
この実施の形態４によれば、カード収容部１２内にリブ２４を設けたことにより、カードＣの挿入方向を抑制し、誤挿入を防止することができる。
【００３１】
実施の形態５．
第８図はこの発明の実施の形態５に係るカード脱着装置の外観を示す斜視図であり、第９図は第８図に示したカード脱着装置のボディ内に形成されたカード装着時のカード収容部の構成を示す平面図であり、第１０図は第８図に示したカード脱着装置のボディ内に形成されたカード挿入時あるいは抜去時のカード収容部の構成を示す平面図である。この実施の形態５の構成要素のうち実施の形態１等の構成要素と共通するものについては同一符号を付し、その部分の説明を省略する。
【００３２】
この実施の形態５の特徴は、カード収容部１２とカード挿抜口１３とをカードＣの厚さ方向にずらした実施の形態１等と異なり、カード収容部１２とカード挿抜口１３とをカードＣの幅方向にずらした点にある。即ち、ボディ１０側にはカード挿抜口１３とはカードＣの幅方向に若干ずれた位置にカード収容部１２を設け、カード挿抜口１３の一部を構成する部分をストッパー部１４としている。カード収容部１２内にはカードＣと係合した状態でカードＣの挿抜方向（矢印Ａ１方向及びＡ２方向）及びこの挿入方向と直交する方向（矢印Ｂ１方向及びＢ２方向）に移動可能な係合手段としてのフレーム２５が設けられている。フレーム２５はカードＣの短辺とこの短辺に隣接する長辺とを同時に保持する略Ｌ字状の部材であり、カード収容部１２の内壁に設けられたばね２６（第２の付勢手段）により常に矢印Ｂ１方向に付勢されている。また、フレーム２５のうちカード挿抜口１３に近い部分はカードＣの傾斜部Ｃａに対応する形状を有すると共にカード挿抜口１３から挿入されたカードＣをカード収容部１２へ導くガイド部２７となっている。ガイド部２７はカードＣの挿入時にボディ１０側に形成されたカード挿抜口１３に隣接するフレーム退避口２８内に退避してカード挿抜口１３の開口を大きく確保するように構成されている。さらに、フレーム２５にはこのフレーム２５の移動を操作する操作レバー２９が取り付けられている。この操作レバー２９の下部はばね２６に当接しており、その上部は蓋１１に形成された略Ｌ字状の操作穴３０から外部に突出している。この操作穴３０は矢印Ａ１方向及びＡ２方向に延在する第１の操作溝３０ａと、矢印Ｂ１方向及びＢ２方向に延在する第２の操作溝３０ｂとから構成されている。
【００３３】
次に動作について説明する。まず、カードＣを挿入する場合には、操作レバー２９を操作穴３０の第２の操作溝３０ｂから第１の操作溝３０ａへ移動させ、矢印Ａ２方向に移動させた状態で、カードＣの挿入を受ける。このとき、カードＣを矢印Ａ１方向にカード挿抜口１３から挿入させると、カードＣはフレーム２５に係合する。次に、操作レバー２９を第１の操作溝３０ａから第２の操作溝３０ｂへ操作すると、フレーム２５はばね２６により矢印Ｂ１方向に付勢され、カードＣの長辺部が検知手段９に当接しかつ一隅部がストッパー部１４に当接するまで押圧されてカード収容部１２内に収容される。カードＣの一部はストッパー部１４に当接しているので、落下衝撃等の外力が働いてもカード挿抜口１３から飛び出すことはない。
【００３４】
次に、カードＣを抜去する場合には、操作レバー２９をばね２６の付勢力に抗して矢印Ｂ２方向に操作すると、カードＣの一隅のストッパー部１４との当接が解除される。その後、矢印Ａ２方向に操作してフレーム２５に係合されたカードＣをカード挿抜口１３の近傍に導く。この状態で、カードＣを指で引き出すことが可能になっている。
【００３５】
以上のように、この実施の形態５によれば、カードＣをフレーム２５に搭載してストッパー部１４で係止できる位置に運べるように構成したことにより、カードＣをカード収容部１２内に確実に保持することができるので、落下衝撃等の外力を受けても、カードＣの飛び出しによる活線挿抜を確実に防止することができる。
【００３６】
この実施の形態５では、操作レバー２９を設けたことにより、カードＣに直接触れることなく、カードＣの脱着を行うことができるので、カードＣの取り扱いに対する操作性を改善することができる。
【００３７】
この実施の形態５では、ばね２６を設けたことにより、フレーム２５をカード挿入方向と直交する矢印Ｂ１方向に付勢し、フレーム２５に係合されたカードＣの一隅部をストッパー部１４に当接させた状態でカード収容部１２内に確実に保持することができる。
【００３８】
なお、この実施の形態５では、カード収容部１２をボディ１０側に設けたが、蓋１１側に設けてもよいことは言うまでもない。
【００３９】
実施の形態６．
第１１図はこの発明の実施の形態６に係るカード脱着装置のボディ内に形成されたカード装着時のカード収容部の構成を示す平面図である。この実施の形態６の構成要素のうち実施の形態１等の構成要素と共通するものについては同一符号を付し、その部分の説明を省略する。
【００４０】
この実施の形態６の特徴は実施の形態５におけるフレーム２５の屈曲部分にカードＣの特徴的形状である傾斜部Ｃａに当接する屈曲部３１を設けた点にある。即ち、カードＣの他の三隅がカード収容部１２内でフレーム２５の屈曲部３１に当接した場合には、カードＣをそれ以上挿入することができないため、カードＣの挿入方向が誤りであることを挿入者に理解させることができ、正しい挿入方向となるようにカードＣの挿入作業を促すことができる。
【００４１】
この実施の形態６によれば、カード収容部１２内に配設したフレーム２５に屈曲部３１を設けたことにより、カードＣの挿入方向を抑制し、誤挿入を防止することができる。
【００４２】
実施の形態７．
第１２図はこの発明の実施の形態７に係るカード脱着装置のボディ内に形成されたカード装着時のカード収容部の構成を示す平面図である。この実施の形態７の構成要素のうち実施の形態１等の構成要素と共通するものについては同一符号を付し、その部分の説明を省略する。
【００４３】
この実施の形態７の特徴はストッパー部１４にカードＣの特徴的形状である傾斜部Ｃａに当接する突起部３２を設けた点にある。即ち、カードＣの他の三隅がカード収容部１２内で突起部３２に当接した場合には、カードＣをそれ以上挿入することができず、カードＣをカード収容部１２の所定位置、特に検知手段９に当接させる位置まで運べないため、カードＣの挿入方向が誤りであることを挿入者に理解させることができ、正しい挿入方向となるようにカードＣの挿入作業を促すことができる。
【００４４】
この実施の形態７によれば、カード収容部１２内のストッパー部１４に突起部３２を設けたことにより、カードＣの挿入方向を抑制し、誤挿入を防止することができる。
【００４５】
実施の形態８．
第１３図はこの発明の実施の形態８に係るカード脱着装置のボディ内に形成されたカード装着時のカード収容部の構成を示す平面図である。この実施の形態８の構成要素のうち実施の形態１等の構成要素と共通するものについては同一符号を付し、その部分の説明を省略する。
【００４６】
この実施の形態８の特徴はカードＣと係合するフレーム２５を常に矢印Ａ２方向に付勢する第３の付勢手段としてのばね３３をカード収容部１２内に設けた点にある。即ち、カードＣを抜去する場合に、操作レバー２９をばね２６の付勢力に抗して矢印Ｂ２方向に操作すると、カードＣの一隅のストッパー部１４との当接が解除されるが、ばね３３によりフレーム２５が矢印Ａ２方向に付勢され、操作レバー２９を操作するまでもなく、カードＣをカード挿抜口１３から抜去することができる。
【００４７】
以上のように、この実施の形態８によれば、ばね３３を設けたことによりフレーム２５を介してカード挿抜口１３からカードＣを容易に蹴り出すことができるので、カードＣの取り扱いに対する操作性を改善することができる。
【００４８】
実施の形態９．
第１４図はこの発明の実施の形態９に係るカード脱着装置のボディ内に形成されたカード装着時のカード収容部の構成を示す平面図である。この実施の形態９の構成要素のうち実施の形態１等の構成要素と共通するものについては同一符号を付し、その部分の説明を省略する。
【００４９】
この実施の形態９の特徴はカード収容部１２の内壁に設けられたばね２６の機能と検知手段９の検知機能とを備えたばね３４をカード収容部１２の内壁に設けた点にある。このばね３４はばね２６と協働してフレーム２５及びカードＣを矢印Ｂ１方向に付勢すると共に、カードＣがカード収容部１２に収容されたか否かを判別する。
【００５０】
以上のように、この実施の形態９によれば、ばね３４を設けたことにより、専用の検知手段９を設ける必要がなく、部品点数を削減することができる効果がある。
【００５１】
実施の形態１０．
第１５図（ａ）から第１５図（ｃ）はこの発明の実施の形態１０に係るカード脱着装置のカード装着状態を示す図であって第１５図（ａ）はカード脱着装置の底面図であり、第１５図（ｂ）は第１５図（ａ）のｂ−ｂ線断面図であり、第１５図（ｃ）は第１５図（ａ）の側面図であり、第１６図は第１５図（ａ）から第１５図（ｃ）に示したカード脱着装置内に挿抜可能なホルダーを示す斜視図である。この実施の形態１０の構成要素のうち実施の形態１等の構成要素と共通するものについては同一符号を付し、その部分の説明を省略する。
【００５２】
この実施の形態１０の特徴はボディ１０と蓋１１との間に形成された空間Ｓに挿抜可能でありかつカードＣを収容するカード収容部１２を有するホルダー３５と、このホルダー３５を空間Ｓ内に保持するロック手段としてのばね３６と、このばね３６によるロックを解除するロック解除手段としての操作ボタン３７及びストッパー３８とを備えた点にある。ホルダー３５は把持部３５ａと上記空間Ｓ内に収容される板部３５ｂとから概略構成されており、この板部３５ｂ上にはカード収容部１２が形成されている。この実施の形態１０におけるカード収容部１２には第１６図に示すようにカードＣの傾斜部Ｃａに対応するリブ１２ａが形成されている。また、蓋１１の上側中央には断面矩形状の大孔１１ａが形成され、蓋１１の下側中央には大孔１１ａと連通しかつ大孔１１ａよりも小さい断面矩形状の小孔１１ｂが形成されている。これら大孔１１ａ及び小孔１１ｂには上記操作ボタン３７が配設されている。ストッパー３８は上記空間Ｓを縫うようにして操作ボタン３７からホルダー挿抜口３９まで延びる板ばね部材であり、ホルダー挿抜口３９から屈曲して突出する上部３８ａと、操作ボタン３７に当接する下部３８ｂと、この下部３８ｂと上部３８ａとの間に形成されかつボディ１０の下面に当接する突起部３８ｃとから概略構成されている。上部３８ａが屈曲しているのはホルダー挿抜口３９へのホルダー３５の挿入あるいはホルダー挿抜口３９からのホルダー３５の抜去を容易にするためである。
【００５３】
次に動作について説明する。まず、ホルダー３５を挿入する場合には、ホルダー３５のカード収容部１２内にカードＣを収容した後、ホルダー３５の把持部３５ａを把持してストッパー３８と蓋１１との間に形成されたホルダー挿抜口３９にホルダー３５を挿入する。このとき、ホルダー３５はばね３６により蓋１１側に向けて押圧され、これによりホルダー３５は空間Ｓ内にロックされる。
【００５４】
次に、ホルダー３５を抜去する場合には、操作ボタン３７を矢印Ｄ方向に押し上げると、ストッパー３８の下部３８ｂは上昇する。このとき、ストッパー３８の突起部３８ｃを支点とし、ストッパー３８がばね３６を押し上げるため、ホルダー３５に対するばね３６の押圧は解除されると同時に、ホルダー３５が蹴り出し用ばね１６によりホルダー挿抜口３９に向けて蹴り出される。このとき、ストッパー３８の上部３８ａは操作ボタン３７の押し上げ時に下降しているため、この上部３８ａによりホルダー３５の蹴り出し速度が急激に減速されるため、ホルダー３５のホルダー挿抜口３９からの飛び出しを回避できる。
【００５５】
以上のように、この実施の形態１０によれば、カード収容部１２をホルダー３５に設けたことによりカードＣに直接触れることなく、カードＣの脱着を行うことができるので、カードＣの取り扱いに対する操作性を改善することができる。
【００５６】
この実施の形態１０では、ホルダー３５に設けたカード収容部１２内にカードＣの特徴的形状である傾斜部１２ａを設けたことにより、カードＣの挿入方向を抑制し、誤挿入を防止することができる。
【図面の簡単な説明】
【００５７】
【図１】第１図は従来のカード脱着装置の外観を示す斜視図である。
【図２】第２図はこの発明の実施の形態１に係るカード脱着装置の外観を示す斜視図である。
【図３】第３図（ａ）から第３図（ｃ）は第２図に示したカード脱着装置のカード装着前の状態を示す図であって第３図（ａ）は第２図に示したカード脱着装置の底面図であり、第３図（ｂ）は第３図（ａ）のｂ−ｂ線断面図であり、第３図（ｃ）は第３図（ａ）の側面図である。
【図４】第４図（ａ）から第４図（ｃ）は第２図に示したカード脱着装置のカード装着状態を示す図であって第４図（ａ）は第２図に示したカード脱着装置の底面図であり、第４図（ｂ）は第４図（ａ）のｂ−ｂ線断面図であり、第４図（ｃ）は第４図（ａ）の側面図である。
【図５】第５図はこの発明の実施の形態２に係るカード脱着装置の構成を示す断面図である。
【図６】第６図はこの発明の実施の形態３に係るカード脱着装置を搭載した携帯電話機の外観を示す斜視図である。
【図７】第７図はこの発明の実施の形態４に係るカード脱着装置のボディ内に形成されたカード収容部の構成を示す平面図である。
【図８】第８図はこの発明の実施の形態５に係るカード脱着装置の外観を示す斜視図である。
【図９】第９図は第８図に示したカード脱着装置のボディ内に形成されたカード装着時のカード収容部の構成を示す平面図である。
【図１０】第１０図は第８図に示したカード脱着装置のボディ内に形成されたカード挿入時あるいは抜去時のカード収容部の構成を示す平面図である。
【図１１】第１１図はこの発明の実施の形態６に係るカード脱着装置のボディ内に形成されたカード装着時のカード収容部の構成を示す平面図である。
【図１２】第１２図はこの発明の実施の形態７に係るカード脱着装置のボディ内に形成されたカード装着時のカード収容部の構成を示す平面図である。
【図１３】第１３図はこの発明の実施の形態８に係るカード脱着装置のボディ内に形成されたカード装着時のカード収容部の構成を示す平面図である。
【図１４】第１４図はこの発明の実施の形態９に係るカード脱着装置のボディ内に形成されたカード装着時のカード収容部の構成を示す平面図である。
【図１５】第１５図（ａ）から第１５図（ｃ）はこの発明の実施の形態１０に係るカード脱着装置のカード装着状態を示す図であって第１５図（ａ）はカード脱着装置の底面図であり、第１５図（ｂ）は第１５図（ａ）のｂ−ｂ線断面図であり、第１５図（ｃ）は第１５図（ａ）の側面図である。
【図１６】第１６図は第１５図（ａ）から第１５図（ｃ）に示したカード脱着装置内に挿抜可能なホルダーを示す斜視図である。
【符号の説明】
【００５８】
１  ボディ、２  ガイド部材、３  カード収容部、４  カード挿抜口、５  複数の端子、６  外部端子、７  蓋、８  操作レバー、９  検知手段、９ａ  プローブ、Ｃ  カード、Ｄ  矢印、Ｓ  空間、１０  ボディ、１１  蓋、１１ａ  大孔、１１ｂ  小孔、１２  カード収容部、１２ａ  リブ、１３  カード挿抜口、１４  ストッパー部、１５  端子、１６  蹴り出し用ばね、1７  凹部、１８  キャップ、１９  操作ボタン、２０  携帯電話機、２０ａ  裏面、２１  穴、２２  アンテナ、２３  スイッチ、２４  リブ、２５  フレーム、２６  ばね、２７  ガイド部、２８  フレーム退避口、２９  操作レバー、３０  操作穴、３０ａ  操作溝、３０ｂ  操作溝、３１  屈曲部、３２  突起部、３３  ばね、３４  ばね、３５  ホルダー、３５ａ  把持部、３５ｂ  板部、３６  ばね、３７  操作ボタン、３８  ストッパー、３８ａ  上部、３８ｂ  下部、３８ｃ  突起部、３９  ホルダー挿抜口、Ｃａ  傾斜部。
【図１】
2006156409.tif 000003
【図２】
2006156409.tif 000004
【図３】
2006156409.tif 000005
【図４】
2006156409.tif 000006
【図５】
2006156409.tif 000007
【図６】
2006156409.tif 000008
【図７】
2006156409.tif 000009
【図８】
2006156409.tif 000010
【図９】
2006156409.tif 000011
【図１０】
2006156409.tif 000012
【図１１】
2006156409.tif 000013
【図１２】
2006156409.tif 000014
【図１３】
2006156409.tif 000015
【図１４】
2006156409.tif 000016
【図１５】
2006156409.tif 000017
【図１６】
2006156409.tif 000018
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
脱着方向に沿って列をなした複数の電極部を有するカードが挿入口から挿入されて収容されるカード収容部と、
このカード収容部内へ上記カードが挿入されるのに応じて弾性変形が生じる弾性部と、
上記カード収容部内の所定位置に上記カードが収容された状態にて、上記弾性部の変形状態を保持する保持部とを備えてなるカード脱着装置であって、
当該収容されたカードが上記所定位置から微小移動して上記弾性部の変形状態の保持が解除され、これにより、上記弾性部の復元力に基づいて、上記カードが上記カード収容部から脱出することを特徴とするカード脱着装置。
【請求項２】
カード収容部に収容されたカードの一部にユーザが接触することにより、当該カードが微小移動する構成にしたことを特徴とする請求項１記載のカード脱着装置。
【手続補正２】
【補正対象書類名】明細書
【補正対象項目名】全文
【補正方法】変更
【補正の内容】
【発明の詳細な説明】
【技術分野】
【０００１】
この発明は、携帯電話機等に用いられるカード脱着装置に関するものである。
【背景技術】
【０００２】
第１図は従来のカード脱着装置の外観を示す斜視図である。図において１はＳＩＭカード（以下、単にカードという）Ｃの挿入方向に延在する一対のガイド部材２からなるカード装着装置のボディであり、３は一対のガイド部材２を跨いで形成されたカード収容部であり、４は一対のガイド部材２の一端部間により形成されたカード挿抜口であり、このカード挿抜口４は上記カード収容部３と面一に形成されている。カード収容部３の下部には一対のガイド部材２間にカードＣとコンタクトをとるための複数の端子５が設けられている。６は端子５と例えば携帯電話機等の外部装置（図示せず）とを接続するための外部端子である。ボディ１のカード収容部３上には断面逆Ｌ字状の蓋７がボディ１の長さ方向（矢印Ａ１方向、Ａ２方向）に往復摺動自在に配設されている。８は蓋７をボディ１の長さ方向に移動させるための操作レバーである。
【０００３】
次に動作について説明する。まず、カードＣを装着する場合には、操作レバー８を矢印Ａ２方向に操作することで蓋７をカード挿抜口４側に近づけておき、カードＣを矢印Ａ１方向に沿ってカード挿抜口４からカード収容部３に向けて挿入する。このとき、カードＣは蓋７の下側に設けられた係合手段（図示せず）により係合され、蓋７により保持される。
【０００４】
次に、操作レバー８を矢印Ａ１方向に操作し、カードＣをカード収容部３の所定位置に保持する。この保持位置において、カードＣは端子５を介して外部装置と電気的に接続される。
【０００５】
逆に、カードＣを抜去する場合には、操作レバー８を矢印Ａ２方向に操作し、蓋７をカード挿抜口４側に戻すことで、カードＣと外部装置との電気的接続を解き、カードＣの一部をカード挿抜口４から露出させ、指でカードＣの一部を引き出すようにする。
【０００６】
また、バッテリーパックの取付け位置にカード脱着装置を設けた構成が日本国特開平１０−３３６２９２号公報に開示されている。
【特許文献１】特開平１０−３３６２９２号公報
【発明の開示】
【発明が解決しようとする課題】
【０００７】
しかしながら、当該公報に記載の構成では、使い勝手が悪いという課題があった。
【０００８】
この発明は上記のような課題を解決するためになされたものである。
【課題を解決するための手段】
【０００９】
この発明は、脱着方向に沿って列をなした複数の電極部を有するカードが挿入口から挿入されて収容されるカード収容部と、このカード収容部内へ上記カードが挿入されるのに応じて弾性変形が生じる弾性部と、上記カード収容部内の所定位置に上記カードが収容された状態にて、上記弾性部の変形状態を保持する保持部とを備えてなるカード脱着装置であって、当該収容されたカードが上記所定位置から微小移動することにより上記弾性部の変形状態の保持が解除され、これにより、上記弾性部の復元力に基づいて、上記カードが上記カード収容部から脱出するカード脱着装置である。
【発明の効果】
【００１０】
このことによってカードの脱着を行うことができるので、カードの取り扱いに対する操作性を改善することができる。
【発明を実施するための最良の形態】
【００１１】
以下、この発明をより詳細に説明するために、この発明を実施するための最良の形態について、添付の図面に従ってこれを説明する。
【００１２】
実施の形態１．
第２図はこの発明の実施の形態１に係るカード脱着装置の外観を示す斜視図であり、第３図（ａ）から第３図（ｃ）は第２図に示したカード脱着装置のカード装着前の状態を示す図であって第３図（ａ）は第２図に示したカード脱着装置の底面図であり、第３図（ｂ）は第３図（ａ）のｂ−ｂ線断面図であり、第３図（ｃ）は第３図（ａ）の側面図であり、第４図（ａ）から第４図（ｃ）は第２図に示したカード脱着装置のカード装着状態を示す図であって第４図（ａ）は第２図に示したカード脱着装置の底面図であり、第４図（ｂ）は第４図（ａ）のｂ−ｂ線断面図であり、第４図（ｃ）は第４図（ａ）の側面図である。この実施の形態１の構成要素のうち第１図に示した従来のカード脱着装置の構成要素と共通するものについては同一符号を付し、その部分の説明を省略する。
【００１３】
図において１０は例えばＡＢＳ樹脂等の絶縁性を有する材料で形成された板状のボディであり、１１はボディ１０との間にカードＣを受容する空間Ｓを形成すると共にカード収容部１２を有する蓋であり、１３は蓋１１の端部に形成されかつ空間Ｓに連通するカード挿抜口であり、１４はカード挿抜口１３の一部を構成しかつカード収容部１２に収容されたカードＣの抜けを防止するストッパー部であり、１５はカード収容部１２に面したボディ１０の下面に形成されかつカード収容部１２に収容されたカードＣとコンタクトをとると共にカードＣをカード収容部１２側に押圧する端子であり、この端子１５は外部端子６に接続されている。１６はボディ１０の端縁下垂部の内側に取り付けられかつカードＣの収容時にはカードＣをストッパー部１４に向けて押圧すると共にカードＣの抜去時にはカードＣをカード挿抜口１３を介して外部に蹴り出す蹴り出し用ばね（第１の付勢手段）であり、１７はカードＣの抜去時にカードＣの飛び出し部分を指で操作するためにカード挿抜口１３の一部を構成する蓋１１に形成された凹部である。また、ボディ１０の端部にはカード収容部１２にカードＣが収容されているか否かを判別する検知手段９が設けられており、カード収容部１２内には検知手段９のプローブ９ａが設けられている。なお、矩形状のカードＣの一隅は切除されて特徴的形状である傾斜部Ｃａとなっている。
【００１４】
次に動作について説明する。まず、カードＣを挿入する場合には、カードＣをカード挿抜口１３から空間Ｓ内に挿入する。空間Ｓ内では、カードＣはボディ１０側の端子１５により蓋１１側に向けて押圧されるため、挿入操作を続けることによりカード収容部１２内に導かれるようにして収容される。このとき、カード収容部１２内では、カードＣは端子１５により引き続き蓋１１側に押圧されると共に蹴り出し用ばね１６によりカード挿抜口１３寄りのストッパー部１４に押圧され、このストッパー部１４によりカードＣが係止されることにより、カード収容部１２内に確実に保持される。
【００１５】
次に、カードＣを抜去する場合には、蓋１１の凹部１７に指を差し込み、カード収容部１２内に収容されているカードＣの露出端部をボディ１０側に軽く押し出す。これにより、カードＣの露出端部はストッパー部１４による係止が解除され、カードＣは蹴り出し用ばね１６によりカード挿抜口１３から外部に飛び出すことで抜去される。
【００１６】
以上のように、この実施の形態１によれば、カード収容部１２内にストッパー部１４及び蹴り出し用ばね１６を設けたことにより、カードＣをカード収容部１２内に確実に保持することができるので、落下衝撃等の外力を受けても、カードＣの飛び出しによる活線挿抜を確実に防止することができる。
【００１７】
この実施の形態１では、カードＣの保持に蹴り出し用ばね１６を利用したことにより、保持用の付勢手段を改めて設ける必要がなく、部品点数を削減することができる効果がある。また、この実施の形態１では、カードＣのカード収容部１２側への押圧にカードコンタクト用の端子１５を利用したことにより、押圧用の付勢手段を改めて設ける必要がなく、部品点数を削減することができる効果がある。
【００１８】
この実施の形態１では、カード収容部１２を蓋１１側に設けたが、ボディ１０側に設けてもよい。この場合、端子１５はカードＣをカード収容部１２側へ押圧する手段としても機能しているため、蓋１１側の対向面に設ける必要がある。
【００１９】
実施の形態２．
第５図はこの発明の実施の形態２に係るカード脱着装置の構成を示す断面図である。この実施の形態２の構成要素のうち実施の形態１の構成要素と共通するものについては同一符号を付し、その部分の説明を省略する。
【００２０】
この実施の形態２の特徴は、カード挿抜口１３を塞ぐキャップ１８を設けた点にある。カードＣは、蓋１１の凹部１７に異物が入り込んだときにカード挿抜口１３に押し出され、蹴り出し用ばね１６により不用意に飛び出す可能性がある。このため、キャップ１８でカード挿抜口１３を塞ぐことによりカードＣの飛び出しを防止している。
【００２１】
以上のように、この実施の形態２によれば、カード挿抜口１３を塞ぐキャップ１８を設けたことにより、カードＣをカード収容部１２内に確実に保持することができるので、落下衝撃等の外力を受けても、カードＣの飛び出しによる活線挿抜を確実に防止することができる。
【００２２】
実施の形態３．
第６図はこの発明の実施の形態３に係るカード脱着装置を搭載した携帯電話機の外観を示す斜視図である。この実施の形態３の構成要素のうち実施の形態１等の構成要素と共通するものについては同一符号を付し、その部分の説明を省略する。
【００２３】
この実施の形態３の特徴はカードＣに対するストッパー部１４による係止を解除する操作ボタン１９を携帯電話機２０の裏面２０ａ側に設けた点にある。携帯電話機２０の裏面２０ａには矩形状の穴２１が形成されており、その穴２１内には操作ボタン１９が出没自在に配設されている。この操作ボタン１９は押すことによりカードＣをボディ１０側に押し出すものである。なお、２２は携帯電話機２０の端部に伸縮自在に取り付けられたアンテナであり、２３は携帯電話機２０の裏面側に着脱自在に取り付けられるバッテリーパック（図示せず）を取外すためのスイッチである。
【００２４】
次に動作について説明する。操作ボタン１９を押すと、カードＣの一部はボディ１０側に押し出され、ストッパー部１４による係止が解除され、カードＣは蹴り出し用ばね１６によりカード挿抜口１３から外部に飛び出すことで抜去される。
【００２５】
以上のように、この実施の形態３によれば、操作ボタン１９を設けたことにより、カードＣに直接触れることなく、カードＣの脱着を行うことができるので、カードＣの取り扱いに対する操作性を改善することができる。
【００２６】
実施の形態４．
第７図はこの発明の実施の形態４に係るカード脱着装置のボディ内に形成されたカード収容部の構成を示す平面図である。この実施の形態４の構成要素のうち実施の形態１等の構成要素と共通するものについては同一符号を付し、その部分の説明を省略する。
【００２７】
この実施の形態４の特徴は蓋１１側に形成されたカード収容部１２の一部を構成するボディ１０の内壁に、カードＣの特徴的形状である傾斜部Ｃａに当接するリブ２４を設けた点にある。即ち、カードＣの他の三隅がカード収容部１２内でリブ２４に当接した場合には、カードＣをそれ以上挿入することができないため、カードＣの挿入方向が誤りであることを挿入者に理解させることができ、正しい挿入方向となるようにカードＣの挿入作業を促すことができる。
【００２８】
この実施の形態４によれば、カード収容部１２内にリブ２４を設けたことにより、カードＣの挿入方向を抑制し、誤挿入を防止することができる。
【００２９】
実施の形態５．
第８図はこの発明の実施の形態５に係るカード脱着装置の外観を示す斜視図であり、第９図は第８図に示したカード脱着装置のボディ内に形成されたカード装着時のカード収容部の構成を示す平面図であり、第１０図は第８図に示したカード脱着装置のボディ内に形成されたカード挿入時あるいは抜去時のカード収容部の構成を示す平面図である。この実施の形態５の構成要素のうち実施の形態１等の構成要素と共通するものについては同一符号を付し、その部分の説明を省略する。
【００３０】
この実施の形態５の特徴は、カード収容部１２とカード挿抜口１３とをカードＣの厚さ方向にずらした実施の形態１等と異なり、カード収容部１２とカード挿抜口１３とをカードＣの幅方向にずらした点にある。即ち、ボディ１０側にはカード挿抜口１３とはカードＣの幅方向に若干ずれた位置にカード収容部１２を設け、カード挿抜口１３の一部を構成する部分をストッパー部１４としている。カード収容部１２内にはカードＣと係合した状態でカードＣの挿抜方向（矢印Ａ１方向及びＡ２方向）及びこの挿入方向と直交する方向（矢印Ｂ１方向及びＢ２方向）に移動可能な係合手段としてのフレーム２５が設けられている。フレーム２５はカードＣの短辺とこの短辺に隣接する長辺とを同時に保持する略Ｌ字状の部材であり、カード収容部１２の内壁に設けられたばね２６（第２の付勢手段）により常に矢印Ｂ１方向に付勢されている。また、フレーム２５のうちカード挿抜口１３に近い部分はカードＣの傾斜部Ｃａに対応する形状を有すると共にカード挿抜口１３から挿入されたカードＣをカード収容部１２へ導くガイド部２７となっている。ガイド部２７はカードＣの挿入時にボディ１０側に形成されたカード挿抜口１３に隣接するフレーム退避口２８内に退避してカード挿抜口１３の開口を大きく確保するように構成されている。さらに、フレーム２５にはこのフレーム２５の移動を操作する操作レバー２９が取り付けられている。この操作レバー２９の下部はばね２６に当接しており、その上部は蓋１１に形成された略Ｌ字状の操作穴３０から外部に突出している。この操作穴３０は矢印Ａ１方向及びＡ２方向に延在する第１の操作溝３０ａと、矢印Ｂ１方向及びＢ２方向に延在する第２の操作溝３０ｂとから構成されている。
【００３１】
次に動作について説明する。まず、カードＣを挿入する場合には、操作レバー２９を操作穴３０の第２の操作溝３０ｂから第１の操作溝３０ａへ移動させ、矢印Ａ２方向に移動させた状態で、カードＣの挿入を受ける。このとき、カードＣを矢印Ａ１方向にカード挿抜口１３から挿入させると、カードＣはフレーム２５に係合する。次に、操作レバー２９を第１の操作溝３０ａから第２の操作溝３０ｂへ操作すると、フレーム２５はばね２６により矢印Ｂ１方向に付勢され、カードＣの長辺部が検知手段９に当接しかつ一隅部がストッパー部１４に当接するまで押圧されてカード収容部１２内に収容される。カードＣの一部はストッパー部１４に当接しているので、落下衝撃等の外力が働いてもカード挿抜口１３から飛び出すことはない。
【００３２】
次に、カードＣを抜去する場合には、操作レバー２９をばね２６の付勢力に抗して矢印Ｂ２方向に操作すると、カードＣの一隅のストッパー部１４との当接が解除される。その後、矢印Ａ２方向に操作してフレーム２５に係合されたカードＣをカード挿抜口１３の近傍に導く。この状態で、カードＣを指で引き出すことが可能になっている。
【００３３】
以上のように、この実施の形態５によれば、カードＣをフレーム２５に搭載してストッパー部１４で係止できる位置に運べるように構成したことにより、カードＣをカード収容部１２内に確実に保持することができるので、落下衝撃等の外力を受けても、カードＣの飛び出しによる活線挿抜を確実に防止することができる。
【００３４】
この実施の形態５では、操作レバー２９を設けたことにより、カードＣに直接触れることなく、カードＣの脱着を行うことができるので、カードＣの取り扱いに対する操作性を改善することができる。
【００３５】
この実施の形態５では、ばね２６を設けたことにより、フレーム２５をカード挿入方向と直交する矢印Ｂ１方向に付勢し、フレーム２５に係合されたカードＣの一隅部をストッパー部１４に当接させた状態でカード収容部１２内に確実に保持することができる。
【００３６】
なお、この実施の形態５では、カード収容部１２をボディ１０側に設けたが、蓋１１側に設けてもよいことは言うまでもない。
【００３７】
実施の形態６．
第１１図はこの発明の実施の形態６に係るカード脱着装置のボディ内に形成されたカード装着時のカード収容部の構成を示す平面図である。この実施の形態６の構成要素のうち実施の形態１等の構成要素と共通するものについては同一符号を付し、その部分の説明を省略する。
【００３８】
この実施の形態６の特徴は実施の形態５におけるフレーム２５の屈曲部分にカードＣの特徴的形状である傾斜部Ｃａに当接する屈曲部３１を設けた点にある。即ち、カードＣの他の三隅がカード収容部１２内でフレーム２５の屈曲部３１に当接した場合には、カードＣをそれ以上挿入することができないため、カードＣの挿入方向が誤りであることを挿入者に理解させることができ、正しい挿入方向となるようにカードＣの挿入作業を促すことができる。
【００３９】
この実施の形態６によれば、カード収容部１２内に配設したフレーム２５に屈曲部３１を設けたことにより、カードＣの挿入方向を抑制し、誤挿入を防止することができる。
【００４０】
実施の形態７．
第１２図はこの発明の実施の形態７に係るカード脱着装置のボディ内に形成されたカード装着時のカード収容部の構成を示す平面図である。この実施の形態７の構成要素のうち実施の形態１等の構成要素と共通するものについては同一符号を付し、その部分の説明を省略する。
【００４１】
この実施の形態７の特徴はストッパー部１４にカードＣの特徴的形状である傾斜部Ｃａに当接する突起部３２を設けた点にある。即ち、カードＣの他の三隅がカード収容部１２内で突起部３２に当接した場合には、カードＣをそれ以上挿入することができず、カードＣをカード収容部１２の所定位置、特に検知手段９に当接させる位置まで運べないため、カードＣの挿入方向が誤りであることを挿入者に理解させることができ、正しい挿入方向となるようにカードＣの挿入作業を促すことができる。
【００４２】
この実施の形態７によれば、カード収容部１２内のストッパー部１４に突起部３２を設けたことにより、カードＣの挿入方向を抑制し、誤挿入を防止することができる。
【００４３】
実施の形態８．
第１３図はこの発明の実施の形態８に係るカード脱着装置のボディ内に形成されたカード装着時のカード収容部の構成を示す平面図である。この実施の形態８の構成要素のうち実施の形態１等の構成要素と共通するものについては同一符号を付し、その部分の説明を省略する。
【００４４】
この実施の形態８の特徴はカードＣと係合するフレーム２５を常に矢印Ａ２方向に付勢する第３の付勢手段としてのばね３３をカード収容部１２内に設けた点にある。即ち、カードＣを抜去する場合に、操作レバー２９をばね２６の付勢力に抗して矢印Ｂ２方向に操作すると、カードＣの一隅のストッパー部１４との当接が解除されるが、ばね３３によりフレーム２５が矢印Ａ２方向に付勢され、操作レバー２９を操作するまでもなく、カードＣをカード挿抜口１３から抜去することができる。
【００４５】
以上のように、この実施の形態８によれば、ばね３３を設けたことによりフレーム２５を介してカード挿抜口１３からカードＣを容易に蹴り出すことができるので、カードＣの取り扱いに対する操作性を改善することができる。
【００４６】
実施の形態９．
第１４図はこの発明の実施の形態９に係るカード脱着装置のボディ内に形成されたカード装着時のカード収容部の構成を示す平面図である。この実施の形態９の構成要素のうち実施の形態１等の構成要素と共通するものについては同一符号を付し、その部分の説明を省略する。
【００４７】
この実施の形態９の特徴はカード収容部１２の内壁に設けられたばね２６の機能と検知手段９の検知機能とを備えたばね３４をカード収容部１２の内壁に設けた点にある。このばね３４はばね２６と協働してフレーム２５及びカードＣを矢印Ｂ１方向に付勢すると共に、カードＣがカード収容部１２に収容されたか否かを判別する。
【００４８】
以上のように、この実施の形態９によれば、ばね３４を設けたことにより、専用の検知手段９を設ける必要がなく、部品点数を削減することができる効果がある。
【００４９】
実施の形態１０．
第１５図（ａ）から第１５図（ｃ）はこの発明の実施の形態１０に係るカード脱着装置のカード装着状態を示す図であって第１５図（ａ）はカード脱着装置の底面図であり、第１５図（ｂ）は第１５図（ａ）のｂ−ｂ線断面図であり、第１５図（ｃ）は第１５図（ａ）の側面図であり、第１６図は第１５図（ａ）から第１５図（ｃ）に示したカード脱着装置内に挿抜可能なホルダーを示す斜視図である。この実施の形態１０の構成要素のうち実施の形態１等の構成要素と共通するものについては同一符号を付し、その部分の説明を省略する。
【００５０】
この実施の形態１０の特徴はボディ１０と蓋１１との間に形成された空間Ｓに挿抜可能でありかつカードＣを収容するカード収容部１２を有するホルダー３５と、このホルダー３５を空間Ｓ内に保持するロック手段としてのばね３６と、このばね３６によるロックを解除するロック解除手段としての操作ボタン３７及びストッパー３８とを備えた点にある。ホルダー３５は把持部３５ａと上記空間Ｓ内に収容される板部３５ｂとから概略構成されており、この板部３５ｂ上にはカード収容部１２が形成されている。この実施の形態１０におけるカード収容部１２には第１６図に示すようにカードＣの傾斜部Ｃａに対応するリブ１２ａが形成されている。また、蓋１１の上側中央には断面矩形状の大孔１１ａが形成され、蓋１１の下側中央には大孔１１ａと連通しかつ大孔１１ａよりも小さい断面矩形状の小孔１１ｂが形成されている。これら大孔１１ａ及び小孔１１ｂには上記操作ボタン３７が配設されている。ストッパー３８は上記空間Ｓを縫うようにして操作ボタン３７からホルダー挿抜口３９まで延びる板ばね部材であり、ホルダー挿抜口３９から屈曲して突出する上部３８ａと、操作ボタン３７に当接する下部３８ｂと、この下部３８ｂと上部３８ａとの間に形成されかつボディ１０の下面に当接する突起部３８ｃとから概略構成されている。上部３８ａが屈曲しているのはホルダー挿抜口３９へのホルダー３５の挿入あるいはホルダー挿抜口３９からのホルダー３５の抜去を容易にするためである。
【００５１】
次に動作について説明する。まず、ホルダー３５を挿入する場合には、ホルダー３５のカード収容部１２内にカードＣを収容した後、ホルダー３５の把持部３５ａを把持してストッパー３８と蓋１１との間に形成されたホルダー挿抜口３９にホルダー３５を挿入する。このとき、ホルダー３５はばね３６により蓋１１側に向けて押圧され、これによりホルダー３５は空間Ｓ内にロックされる。
【００５２】
次に、ホルダー３５を抜去する場合には、操作ボタン３７を矢印Ｄ方向に押し上げると、ストッパー３８の下部３８ｂは上昇する。このとき、ストッパー３８の突起部３８ｃを支点とし、ストッパー３８がばね３６を押し上げるため、ホルダー３５に対するばね３６の押圧は解除されると同時に、ホルダー３５が蹴り出し用ばね１６によりホルダー挿抜口３９に向けて蹴り出される。このとき、ストッパー３８の上部３８ａは操作ボタン３７の押し上げ時に下降しているため、この上部３８ａによりホルダー３５の蹴り出し速度が急激に減速されるため、ホルダー３５のホルダー挿抜口３９からの飛び出しを回避できる。
【００５３】
以上のように、この実施の形態１０によれば、カード収容部１２をホルダー３５に設けたことによりカードＣに直接触れることなく、カードＣの脱着を行うことができるので、カードＣの取り扱いに対する操作性を改善することができる。
【００５４】
この実施の形態１０では、ホルダー３５に設けたカード収容部１２内にカードＣの特徴的形状である傾斜部１２ａを設けたことにより、カードＣの挿入方向を抑制し、誤挿入を防止することができる。
【図面の簡単な説明】
【００５５】
【図１】第１図は従来のカード脱着装置の外観を示す斜視図である。
【図２】第２図はこの発明の実施の形態１に係るカード脱着装置の外観を示す斜視図である。
【図３】第３図（ａ）から第３図（ｃ）は第２図に示したカード脱着装置のカード装着前の状態を示す図であって第３図（ａ）は第２図に示したカード脱着装置の底面図であり、第３図（ｂ）は第３図（ａ）のｂ−ｂ線断面図であり、第３図（ｃ）は第３図（ａ）の側面図である。
【図４】第４図（ａ）から第４図（ｃ）は第２図に示したカード脱着装置のカード装着状態を示す図であって第４図（ａ）は第２図に示したカード脱着装置の底面図であり、第４図（ｂ）は第４図（ａ）のｂ−ｂ線断面図であり、第４図（ｃ）は第４図（ａ）の側面図である。
【図５】第５図はこの発明の実施の形態２に係るカード脱着装置の構成を示す断面図である。
【図６】第６図はこの発明の実施の形態３に係るカード脱着装置を搭載した携帯電話機の外観を示す斜視図である。
【図７】第７図はこの発明の実施の形態４に係るカード脱着装置のボディ内に形成されたカード収容部の構成を示す平面図である。
【図８】第８図はこの発明の実施の形態５に係るカード脱着装置の外観を示す斜視図である。
【図９】第９図は第８図に示したカード脱着装置のボディ内に形成されたカード装着時のカード収容部の構成を示す平面図である。
【図１０】第１０図は第８図に示したカード脱着装置のボディ内に形成されたカード挿入時あるいは抜去時のカード収容部の構成を示す平面図である。
【図１１】第１１図はこの発明の実施の形態６に係るカード脱着装置のボディ内に形成されたカード装着時のカード収容部の構成を示す平面図である。
【図１２】第１２図はこの発明の実施の形態７に係るカード脱着装置のボディ内に形成されたカード装着時のカード収容部の構成を示す平面図である。
【図１３】第１３図はこの発明の実施の形態８に係るカード脱着装置のボディ内に形成されたカード装着時のカード収容部の構成を示す平面図である。
【図１４】第１４図はこの発明の実施の形態９に係るカード脱着装置のボディ内に形成されたカード装着時のカード収容部の構成を示す平面図である。
【図１５】第１５図（ａ）から第１５図（ｃ）はこの発明の実施の形態１０に係るカード脱着装置のカード装着状態を示す図であって第１５図（ａ）はカード脱着装置の底面図であり、第１５図（ｂ）は第１５図（ａ）のｂ−ｂ線断面図であり、第１５図（ｃ）は第１５図（ａ）の側面図である。
【図１６】第１６図は第１５図（ａ）から第１５図（ｃ）に示したカード脱着装置内に挿抜可能なホルダーを示す斜視図である。
【符号の説明】
【００５６】
１  ボディ、２  ガイド部材、３  カード収容部、４  カード挿抜口、５  複数の端子、６  外部端子、７  蓋、８  操作レバー、９  検知手段、９ａ  プローブ、Ｃ  カード、Ｄ  矢印、Ｓ  空間、１０  ボディ、１１  蓋、１１ａ  大孔、１１ｂ  小孔、１２  カード収容部、１２ａ  リブ、１３  カード挿抜口、１４  ストッパー部、１５  端子、１６  蹴り出し用ばね、1７  凹部、１８  キャップ、１９  操作ボタン、２０  携帯電話機、２０ａ  裏面、２１  穴、２２  アンテナ、２３  スイッチ、２４  リブ、２５  フレーム、２６  ばね、２７  ガイド部、２８  フレーム退避口、２９  操作レバー、３０  操作穴、３０ａ  操作溝、３０ｂ  操作溝、３１  屈曲部、３２  突起部、３３  ばね、３４  ばね、３５  ホルダー、３５ａ  把持部、３５ｂ  板部、３６  ばね、３７  操作ボタン、３８  ストッパー、３８ａ  上部、３８ｂ  下部、３８ｃ  突起部、３９  ホルダー挿抜口、Ｃａ  傾斜部。